(57)【特許請求の範囲】
【請求項１】
廻り植えマーカが下降使用姿勢と上昇格納姿勢とに揺動切り換え自在に自走機体に支持されている田植機の廻り植えマーカ装置であって、
前記廻り植えマーカのアーム部を、自走機体に下降使用姿勢と上昇格納姿勢とに揺動切り換え自在に支持される基端側アーム部分と、この基端側アーム部分に引き出し使用姿勢と押し込み格納姿勢と摺動切り換え自在に支持される先端側アーム部分とによって構成し、前記先端側アーム部分の先端部から先端側アーム部分の軸芯に直交する方向に延出した使用姿勢と先端側アーム部分に沿った格納姿勢とに姿勢切り換え自在に先端側アーム部分に支持されている指示棒部を前記廻り植えマーカに備えさせ、
前記指示棒部の前記格納姿勢は、指示棒部が先端側アーム部分の内部に入り込んで先端側アーム部分に沿った格納姿勢になるように、指示棒部が先端側アーム部分に回動及び摺動操作自在に支持されている田植機の廻り植えマーカ装置。
【請求項２】
前記指示棒部を前記使用姿勢及び前記格納姿勢のそれぞれに摩擦によって保持する摩擦手段を備えてあるとともに、この摩擦手段は、指示棒部に対して前記格納姿勢に保持するべく与える摩擦抵抗が、使用姿勢に保持するべく与える摩擦抵抗よりも小になる状態で摩擦抵抗を与えるように構成してある請求項１記載の田植機の廻り植えマーカ装置。
【請求項３】
前記廻り植えマーカが前記下降使用姿勢にある状態において機体上下方向の軸芯まわりで揺動自在に支持されるように構成してある請求項１又は２記載の田植機の廻り植えマーカ装置。
【請求項４】
前記廻り植えマーカを、前記上昇格納姿勢になった状態では自走機体の上下方向に沿っている予備苗載せ台支柱に沿うように取り付けてあるとともに、上昇格納姿勢にある廻り植えマーカの先端側を保持する保持部を、前記予備苗載せ台支柱に備えてある請求項１記載の田植機の廻り植えマーカ装置。
【発明の詳細な説明】
【０００１】
【発明の属する技術分野】
本発明は、廻り植えマーカが下降使用姿勢と上昇格納姿勢とに揺動切り換え自在に自走機体に支持されている田植機の廻り植えマーカ装置に関する。
【０００２】
【従来の技術】
廻り植えマーカ装置は、廻り植えマーカの先端を畦に沿わせながら植え付け走行していき、後に廻り植え走行するための未植地を畦沿いに形成していくように使用するものである。このため、廻り植えマーカは長尺のものになる。したがって、上記廻り植えマーカ装置は、廻り植えマーカを使用しない場合には、機体外に突出しないとか、突出を抑制できるように上昇格納にして作業できるようになったものである。
【０００３】
【発明が解決しようとする課題】
上記廻り植えマーカ装置において、廻り植えマーカを上昇格納姿勢に切り換えた場合においても、廻り植えマーカの基端部を回動自在に支持するマーカ支持部のみで支持されるだけになっているとか、廻り植えマーカが使用姿勢の場合と同じ長いままになっていると、上昇格納した廻り植えマーカが走行振動などによって揺れ動きやすくなる。
【０００４】
廻り植えマーカを使用姿勢にした際に廻り植えマーカの先端部から下向きに延出する状態となる指示棒部を設けると、廻り植えマーカと畦との位置関係が運転部から見やすくなり、廻り植えマーカを畦に位置合わせしやすくなる。しかし、廻り植えマーカを上昇格納した場合にも、指示棒部が廻り植えマーカを使用するときと同様の姿勢で廻り植えマーカの先端から延出したままになっていると、廻り植えマーカが嵩張ったものになる。すると、たとえば、自走機体の前部乗降用通路を使用する際の障害になるなどのトラブルが発生しやすくなる。
【０００５】
【０００６】
本発明の目的は、構造の簡略化を図りながら廻り植えマーカを安定的に上昇格納したり、コンパクトに上昇格納できる田植機の廻り植えマーカ装置を提供することにある。
【０００７】
【課題を解決するための手段】
請求項１による発明の構成、作用、効果はつぎのとおりである。
【０００８】
〔構成〕
廻り植えマーカが下降使用姿勢と上昇格納姿勢とに揺動切り換え自在に自走機体に支持されている田植機の廻り植えマーカ装置において、
前記廻り植えマーカのアーム部を、自走機体に下降使用姿勢と上昇格納姿勢とに揺動切り換え自在に支持される基端側アーム部分と、この基端側アーム部分に引き出し使用姿勢と押し込み格納姿勢と摺動切り換え自在に支持される先端側アーム部分とによって構成し、前記先端側アーム部分の先端部から先端側アーム部分の軸芯に直交する方向に延出した使用姿勢と先端側アーム部分に沿った格納姿勢とに姿勢切り換え自在に先端側アーム部分に支持されている指示棒部を前記廻り植えマーカに備えさせ、
前記指示棒部の前記格納姿勢は、指示棒部が先端側アーム部分の内部に入り込んで先端側アーム部分に沿った格納姿勢になるように、指示棒部が先端側アーム部分に回動及び摺動操作自在に支持されている。
【０００９】
【００１０】
【００１１】
【００１２】
【００１３】
〔作用〕
基端側アーム部分を下降使用姿勢に、先端側アーム部分を引き出し使用姿勢に、指示棒部を使用姿勢にそれぞれ切り換える。すると、廻り植えマーカが使用姿勢になるとともに、指示棒部がアーム部の先端から下向きに延出した状態になり、廻り植えマーカと畦との位置関係が見やすくて、廻り植えマーカを畦に位置合わせしやすくなる。
基端側アーム部分を上昇格納姿勢に、先端側アーム部分を押し込み格納姿勢に、指示棒部を格納姿勢にそれぞれ切り換える。すると、廻り植えマーカが上昇格納姿勢になるとともに、アーム部が短縮し、かつ、指示棒部がアーム部に沿った取り付け状態になり、廻り植えマーカを、使用するときよりも短尺かつコンパクトに纏まった状態にして格納できる。
【００１４】
基端側アーム部分が先端側アーム部分を摺動切り換え自在に支持していることにより、先端側アーム部分の摺動操作によってアーム部を使用用の長尺状態と、格納用の短尺状態とに切り換えられ、短縮状態において、先端側アーム部分を基端側アーム部分に強固に支持させられる。
【００１５】
〔効果〕
したがって、使用する際には、マーカが畦に所望どおり沿っているか否かを指示棒部によって容易に判断してマーカを畦に精度よく沿わせやすい。
その上、廻り植えマーカを格納しておく際、使用するときよりも小型でかつ簡素な形状のものにして、かつ、先端側アーム部分が基端側アーム部分に強固に支持される状態にして格納し、走行振動などで揺れ動きにくいように有利に格納したり、マーカの近くに乗降用通路があってもその通路を使用する際の障害物になりにくいように格納できる。
【００１６】
【００１７】
【００１８】
〔作用〕
廻り植えマーカを格納する際、先端アーム部分に対して摺動及び回動操作することにより、指示棒部を先端側アーム部分の内部に入り込ませ、アーム部と指示棒部とをよりコンパクトで簡素な形状のものに纏めて格納できる。
【００１９】
〔効果〕
廻り植えマーカを格納しておく際、アーム部が短縮する他に、指示棒部が先端側アーム部分に入りこんだより一層小型でかつ簡素な形状のものし、マーカがより揺れ動きにくいとか、乗降用通路を使用する際の障害物によりなりにくいなど、一層有利に格納できる。
しかも、指示棒部を摺動及び回動させるだけで操作簡単に使用姿勢と格納姿勢とに切り換えられ、廻り植えマーカをアーム部の他に、指示棒部の姿勢切り換えの面からも操作簡単に使用姿勢と格納姿勢とに切り換えられる。
【００２０】
請求項２よる発明の構成、作用、効果はつぎのとおりである。
【００２１】
〔構成〕
請求項１による発明の構成において、前記指示棒部を前記使用姿勢及び前記格納姿勢のそれぞれに摩擦によって保持する摩擦手段を備えてあるとともに、この摩擦手段は、指示棒部に対して前記格納姿勢に保持するべく与える摩擦抵抗が、使用姿勢に保持するべく与える摩擦抵抗よりも小になる状態で摩擦抵抗を与えるように構成してある。
【００２２】
〔作用〕
指示棒部を使用姿勢や格納姿勢に切り換えると、摩擦手段による摩擦抵抗によって姿勢に保持される。使用する際には、若干の外力が作用しても容易にずれ動かないように摩擦保持させながら、所定の格納姿勢に入り込ませたり、格納姿勢から引き出したりする際には、使用姿勢に保持されるときの摩擦抵抗よりも小さい摩擦抵抗に抗して摺動させながら入り込ませたり、引き出したりできる。
【００２３】
〔効果〕
指示棒部を使用姿勢や格納姿勢に切り換える際、各姿勢に保持する手段としての摩擦手段による保持作用を解除したり、作用状態に戻したりする手間を必要とせず、この面からも操作簡単に切り換えられる。しかも、使用姿勢には強い摩擦抵抗で強固に保持させ得る割りには、格納姿勢に入り込ませたり、格納姿勢から引き出したりする際には小さい摩擦抵抗に抗して楽に摺動操作でき、この面からも操作簡単に姿勢切り換えできる。
【００２４】
請求項３よる発明の構成、作用、効果はつぎのとおりである。
【００２５】
〔構成〕
請求項１又は２項に記載の発明の構成において、前記廻り植えマーカが前記下降使用姿勢にある状態において機体上下方向の軸芯まわりで揺動自在に支持されるように構成してある。
【００２６】
〔作用〕
廻り植えマーカを使用する際、マーカが畦に当たって操作力が加わると、その操作力の強さと方向とによっては上昇側に揺動する他に、機体上下方向の軸芯まわりでも揺動して曲がりにくいとか折れにくいようにしながら使用できる。
【００２７】
〔効果〕
廻り植えマーカが畦に当たっても変形しにくいとか折れにくく、耐久性の面でも優れたものになるとともに、マーカが畦に若干当たってもかまわなくて比較的楽に操縦できる。
【００２８】
請求項４による発明の構成、作用、効果はつぎのとおりである。
【００２９】
〔構成〕
請求項１に記載の発明による構成において、前記廻り植えマーカを、前記上昇格納姿勢になった状態では自走機体の上下方向に沿っている予備苗載せ台支柱に沿うように取り付けてあるとともに、上昇格納姿勢にある廻り植えマーカの先端側を保持する保持部を、前記予備苗載せ台支柱に備えてある。
【００３０】
〔作用〕
廻り植えマーカを上昇格納姿勢にして保持部を作用させると、予備苗載せ台支柱に沿うとともに先端側で予備苗載せ台支柱に連結する状態になり、廻り植えマーカの横側に乗降用通路があってもこの通路に入り込まないとか、入り込んでも入り込みが少なくなるようにして、かつ、揺れ動きにくいように予備苗載せ台支柱に保持させて上昇格納できる。
【００３１】
〔効果〕
したがって、廻り植えマーカを上昇格納しておく際、揺れ動きにくくて、曲がったり折れたりしにくいように有利に格納できる。また、乗降用通路がある場合でも、揺れ動きにくいことと、通路に入り込みにくいこととにより、通路が使用しやすいように有利に上昇格納できる。
しかも、マーカを保持する手段に予備苗載せ台支柱を利用して、構造面や経済面でも有利に得られる。
【００３２】
【００３３】
【００３４】
【００３５】
【００３６】
【００３７】
【発明の実施の形態】
図１及び図２に示すように、左右一対の駆動及び操向操作自在な前車輪１，１と左右一対の駆動自在な後車輪２，２とによって自走し、機体前端部に位置するエンジン３及びエンジンボンネット４を有する原動部、この原動部の後方に位置する運転座席５を有する運転部を備えるとともに、前記エンジンボンネット４の両横側に上下複数段の予備苗載せ台６ａを備える予備苗収容装置６と、ステップ２５ａを備える乗降用通路２５を設けてある自走機体の後部に、油圧式のリフトシリンダ７によって上下に揺動操作自在なリンク機構８を介して昇降操作するように苗植付装置１０を連結するとともに、自走機体の後部から回転伝動軸９によって苗植付装置１０に動力伝達するように構成してある。苗植付装置１０が備える苗載せ台１１の後側に位置する肥料タンク２１、苗植付装置１０の植え付け機体の下部に機体横方向に並べて取り付けてある複数個の接地フロート１２それぞれに支持させてある作溝器２２などを有する施肥装置２０を備えさせ、もって、施肥装置付き乗用型田植機を構成してある。
【００３８】
すなわち、苗植付装置１０を自走機体に対して下降操作し、接地フロート１２が圃場の泥面上に接触する作業レベルにして自走機体を走行させる。すると、苗植付装置１０の植え付け機体の後部にこの機体横方向に並べて取り付けてある複数個の苗植付機構１３それぞれが、苗載せ台１１に載置されたマット状苗の下端部から一株分のブロック苗を切断するとともに取り出し、接地フロート１２が整地した後の泥土面に植え付けていく。
【００３９】
前記施肥装置２０は、前記肥料タンク２１及び前記複数個の作溝器２２の他に、肥料タンク２１の下部に自走機体の横方向に並んで連結する複数の肥料繰出し装置、各肥料繰出し装置の繰り出し部を前記複数個の作溝器２２に各別に接続している複数本の肥料供給ホース２３を備えており、苗植付装置１０が苗植え作業を行っていくに伴い、各肥料繰出し装置が肥料タンク２１から粒状肥料を設定量ずつ繰り出して肥料供給ホース２３に送り込み、各作溝器２２が前記苗植付機構１３によって苗植え付けされる圃場泥土の横側近くに溝を作成し、その溝の内部に肥料供給ホース２３からの肥料を供給していく。
【００４０】
図１に示すように、自走機体の前端側に、１本の廻り植えマーカ３１を備える廻り植えマーカ装置３０を設けてある。この装置３０は、図８に示す如く廻り植えマーカ３１の先端を畦Ａに沿わせながら植え付け走行していき、後に田植機を圃場から出す際に廻り植え走行していくための未植地Ｂを畦沿いに形成していくように使用するものであり、詳しくは次の如く構成してある。
【００４１】
図２に示すように、廻り植えマーカ装置３０は、１本の前記廻り植えマーカ３１と、自走機体の前端部におけるエンジンボンネット４の両横側に設けた廻り植えマーカ支持部３６と、前記左右一対の予備苗収容装置６それぞれの前記苗載せ台６ａを支持しているとともに機体上下方向に沿っている前後一対の予備苗載せ台支柱６ｂ，６ｂのうちの前側の予備苗載せ台支柱６ｂの上端側に備えさせてあるマーカ保持部４５とによって構成してある。
【００４２】
廻り植えマーカ３１は、基端側を前記左側の廻り植えマーカ支持部３６や前記右側の廻り植えマーカ支持部３６に基端部を連結することによって自走機体に支持させるように構成したアーム部３２と、このアーム部３２の先端部に支持されるとともに一端側にマーカ部３３ａを備える指示棒部３３とによって構成してある。
【００４３】
アーム部３２は、左側の廻り植えマーカ支持部３６や前記右側の廻り植えマーカ支持部３６に基端側を連結することによって自走機体に支持させるように構成したパイプ材によって形成した基端側アーム部分３２ａと、この基端側アーム部分３２ａに同芯状に摺動出退自在に支持されるパイプ材によって形成してあるとともに先端側に前記指示棒部３３を連結してある先端側アーム部分３２ｂとによって構成してあり、先端側アーム部分３２ｂを基端側アーム部分３２ａに対して押し込み側や引き出し側に摺動操作することにより、先端側アーム部分３２ｂの大部分が基端側アーム部分３２ａの内部に入り込んだ短縮状態と、先端側アーム部分３２ｂの先端側が基端側アーム部分３２ａから突出した伸長状態とに伸縮操作できる。アーム部３２を短縮状態と伸長状態のいずれに切り換えた場合も、基端側アーム部３２ａの先端部に取り付けてある固定具３２ｃを回動操作して、先端側アーム部分３２ｂを基端側アーム部分３２ａに締め付け固定することにより、アーム部３２を短縮状態や伸長状態に固定できる。
【００４４】
図３に示すように、指示棒部３３は、指示棒部３３が図６の如きピン軸芯と直交する方向の取付け孔３４ａに摺動自在に挿通する支持ピン３４を、先端側アーム部３２ｂの先端部に取り付けたゴム製のホルダー３５の先端側に回動自在に支持させることにより、先端側アーム部分３２ｂの先端側に回動及び摺動操作できるように取り付けてある。すなわち、指示棒部３３は、アーム部３２の先端側アーム部分３２ｂに対してアーム部３２の軸芯に直交する方向の支持ピン３４の軸芯３４ａまわりで回動操作することも、アーム部３２の軸芯に沿う方向に摺動操作することもできるように支持されており、その回動操作と摺動操作とを行うことにより、図５に実線で示す如く先端側アーム部分３２ｂからこのアーム部分３２ｂの軸芯に直交する方向に延出するとともに基端側に抜け止め部３３ｂが位置し、延出端側に前記マーカ部３３ａが位置する使用姿勢と、図３に示すとともに図５に二点鎖線で示す如く抜け止め部３３ｂがホルダー３５の基端側の先端側アーム部分３２ｂの軸芯に沿う方向の貫通孔３５ａから先端側アーム部分３２ｂに内部に入りこみ、抜け止め部３３ｂが位置する側の大部分が先端側アーム部分３２ｂの内部に先端側アーム部分３２ｂに沿って位置する格納姿勢とに切り換えられる。
【００４５】
図６及び図７に示すように、前記ホルダー３５の前記支持ピン３４を支持する二股部３５ｂ，３５ｂそれぞれの内面側にゴム製の保持座部３５ｃを一体形成し、この一対の保持座部３５ｃ，３５ｃにより、指示棒部３３を前記格納姿勢と使用姿勢とに保持するように構成してある。
【００４６】
すなわち、図７に明示するように、前記一対の保持座部３５ｃ，３５ｃそれぞれの指示棒部３３に挟持作用する挟持面に、一対の格納挟持溝３５ｄと一対の使用挟持溝３５ｅとを設けてある。指示棒部３３を前記格納姿勢に切り換えると、指示棒部３３が前記支持ピン３４の両横側で両保持座部３５ｃ，３５ｃそれぞれの前記格納挟持溝３５ｄに入り込み、一対の保持座部３５ｃ，３５ｃが格納挟持溝３５ｄの内部で指示棒部３３を挟持して格納姿勢に摩擦で保持する。指示棒部３３を前記使用姿勢に切り換えると、指示棒部３３が前記支持ピン３４の両横側で両保持座部３５ｃ，３５ｃそれぞれの前記使用挟持溝３５ｅに入り込み、一対の保持座部３５ｃ，３５ｃが使用保持溝３５ｅの内部で指示棒部３３を挟持して使用姿勢に摩擦で保持する。
【００４７】
図７（ロ）及び（ハ）に示すように、前記一対の保持座部３５ｃ，３５ｃが指示棒部３３を挟持しないなど外力が作用しない自由状態において一方の前記格納保持溝３５ｄと他方の格納保持溝３５ｄとによって形成する指示棒部挿通孔の径Ｄ１が、前記一対の保持座部３５ｃ，３５ｃが指示棒部３３を挟持しないなど外力が作用しない自由状態において一方の前記使用保持溝３５ｅと他方の使用保持溝３５ｅとによって形成する指示棒部挿通孔の径Ｄ２よりも大になるように各保持座部３５ｃ，３５ｃを形成してある。これにより、指示棒部３３を格納姿勢に保持するべく保持座部３５ｃによって指示棒部３３に与えられる摩擦抵抗が、指示棒部３３を使用姿勢に保持するべく保持座部３５ｃによって指示棒部３３に与えられる摩擦抵抗よりも小になっている。
【００４８】
前記左右側の廻り植えマーカ支持部３６，３６のいずれもは、図３及び図４に示すように、前記前側の予備苗載せ台支柱６ｂの基端部に溶接によって固定している上下一対の板体製の固定支持部３７，３７と、両固定支持部３７，３７にわたってコ字形の基端部３８ａが１本の連結ボルト３９によって回動自在に連結している可動支持部３８と、この可動支持部３８に基端部が１本の連結ボルト４０によって回動自在に連結しているマーカ取付け部４１とによって構成してある。
【００４９】
左側の廻り植えマーカ支持部３６における前記マーカ取付け部４１の廻り植えマーカ３１を取り付けるための先端側のマーカ連結部４１ａも、右側の廻り植えマーカ支持部３６における前記マーカ取付け部４１の廻り植えマーカ３１を取り付けるための先端側のマーカ連結部４１ａも、廻り植えマーカ３１の基端側アーム部分３２ａの基端部が抜き外し可能な状態に外嵌するように形成してあるとともに、外嵌された基端側アーム部分３２ａをゴムリング４２による摩擦によって抜け止めするように構成してあり、廻り植えマーカ３１を左側の廻り植えマーカ支持部３６と右側の廻り植えマーカ支持部３６とに付け替えできるように、左側の廻り植えマーカ支持部３６におけるマーカ取付け部４１のマーカ取付け仕様と、右側の廻り植えマーカ支持部３６におけるマーカ取付け部４１のマーカ取付け仕様とが同一になっている。
【００５０】
つまり、自走機体の左横側に前記未植地Ｂを形成しながら植え付け作業する場合には、前記廻り植えマーカ３１を左側の廻り植えマーカ支持部３６に取り付け、自走機体の右横側に前記未植地Ｂを形成しながら植え付け作業する場合には、前記廻り植えマーカ３１を右側の廻り植えマーカ支持部３６に取り付けるのであり、廻り植えマーカ３１を左右側いずれの廻り植えマーカ支持部３６に取り付ける場合も、廻り植えマーカ３１の基端側アーム部分３２ａの基部をアーム部３２の軸芯方向に、マーカ取付け部４１のマーカ連結部４１ａにゴムリング４２に外嵌するまで差し込むことにより、廻り植えマーカ３１の取り付けができる。
【００５１】
そして、廻り植えマーカ３１を左右側いずれの廻り植えマーカ支持部３６に取り付けた場合においても、廻り植えマーカ３１を使用する際には、図２に機体の左側に取り付けた場合を例に実線で示している如くする。すなわち、可動支持部３８を連結ボルト３９の機体上下向きの軸芯３９ａまわりで回動操作して、マーカ取付け部４１が予備苗載せ台６ａの前端側の下方に位置する状態にするとともに、マーカ取付け部４１を連結ボルト４０の軸芯まわりで可動支持部３８に対してこの可動支持部３８が備えるストッパー部３８ｂに当接して受け止め支持されるまで下降揺動させることにより、廻り植えマーカ３１のアーム部３２を可動支持部３８から自走機体の横外向きにほぼ水平に延出した状態にし、さらに、廻り植えマーカ３１のアーム部３２を、先端側アーム部分３２ｂが基端側アーム部分３２ａから突出した前記伸長状態にするとともに、指示棒部３３を先端側アーム部分３２ｂからこのアーム部分３２ｂの軸芯と直交する方向に延出した前記使用姿勢にする。すると、廻り植えマーカ３１は、自走機体の固定支持部３７に対して下降揺動した下降使用姿勢になる。また、指示棒部３３はアーム部３２の先端から下向きに延出した状態になり、この指示棒部３３のマーカ部３３ａが畦Ａに沿っていくように自走機体を操縦することにより、畦際に未植地Ｂを形成していける。このとき、指示棒部３３は、保持座部３５ｃの使用保持溝３５ｅによる強い摩擦力によって強固に使用姿勢に保持される。可動支持部３８は連結ボルト３９の締め付けによる固定支持部３７との摩擦によって固定支持部３７に対する所定の取り付け姿勢に保持されており、マーカ取付け部４１は回動支持部３８のストッパー部３８ｂによって受け止め支持されており、指示棒部３３が畦に当たるなどして廻り植えマーカ３１に外力が作用すると、廻り植えマーカ３１は連結ボルト３９の軸芯３９ａまわりで固定支持部３７に対して機体前後方向に揺動するとか、連結ボルト４０の軸芯４０ａまわりで固定支持部３７に対して上昇揺動し、廻り植えマーカ３１が曲がるとか破損することを回避しながら作業できる。
【００５２】
廻り植えマーカ３１を左右側いずれの廻り植えマーカ支持部３６に取り付けた場合においても、廻り植えマーカ３１を使用しない際には、図２に機体の右側に取り付けた場合を例に二点鎖線で示している如くする。すなわち、可動支持部３８を連結ボルト３９の機体上下向きの軸芯３９ａまわりで回動操作して、マーカ取付け部４１が予備苗載せ台６ａの前端側の内側下方に位置する状態にするとともに、マーカ取付け部４１を連結ボルト４０の軸芯まわりで可動支持部３８に対して上昇揺動させることにより、廻り植えマーカ３１のアーム部３２を可動支持部３８から上向きに延出した状態にし、さらに、廻り植えマーカ３１のアーム部３２を、先端側アーム部分３２ｂが基端側アーム部分３２ａに入り込んだ前記短縮状態にするとともに、指示棒部３３を先端側アーム部分３２ｂに入り込んだ前記格納姿勢にする。すると、廻り植えマーカ３１は、自走機体の固定支持部３７に対して上昇揺動した上昇格納姿勢で、かつ、アーム部３２が短縮した状態で前側の予備苗載せ台支柱６ｂに沿った姿勢になり、予備苗収容装置６に極力寄せて格納できる。このとき、指示棒部３３は、次に使用姿勢に切り換える際に先端側アーム部分３２ｂから軽く引き出し操作できるように、かつ、振動などで先端側アーム部分３２ｂから突出しにくいように保持座部３５ｃの格納保持溝３５ｄによる弱い摩擦力によって格納姿勢に保持される。このとき、前記マーカ保持部４５を作用させることにより、廻り植えマーカ３１を揺れ動きにくくなるように前側の予備苗載せ台支柱１２に保持させておける。
【００５３】
すなわち、前記左右一対のマーカ保持部４５，４５のそれぞれは、図４に示すように、前側の予備苗載せ台支柱１２の上端側から延出する支持アーム４５ａと、この支持アーム４５ａの先端側に支持されるバネ板製のホルダー４５ｂとによって構成してある。すなわち、廻り植えマーカ３１を前記上昇格納姿勢に切り換えた場合、基端側アーム部分３２ａの先端側をホルダー４５ｂの開口部に押し込み操作する。すると、ホルダー４５ｂの開口部が基端側アーム部分３２ａの押し広げ作用のために拡大して基端側アーム部分３２ａがホルダー４５ｂに内部に入り込み、ホルダー４５ｂが基端側アーム部分３２ａの入り込みによって備えた弾性復元力によって基端側アーム部分３２ａの先端側を挟持する。これにより、マーカ保持部４５は、上昇格納姿勢にある廻り植えマーカ３１の先端側を保持するように保持作用状態になる。この状態から基端側アーム部分３２ａをホルダー４５ｂの開口部から引き出し操作する。すると、ホルダー４５ｂの開口部が基端側アーム部分３２ａの押し広げ作用のために拡大し、基端側アーム部分３２ａをホルダー４５ｂから取り出すことができる。すなわち、マーカ保持部４５によるアーム部３２の保持を解除できる。
【００５４】
廻り植えマーカ３１を左右の廻り植えマーカ支持部３６，３６の一方から他方に付け替える場合、左右側いずれの廻り植えマーカ支持部３６においても、廻り植えマーカ３１の基端側アーム部分３２ａをアーム部３２の軸芯方向に、マーカ取付け部４１のマーカ連結部４１ａからゴムリング４２による摩擦に抗して抜き外すことにより、廻り植えマーカ３１を廻り植えマーカ支持部３６から取り外すことができる。
【００５５】
〔別実施形態〕
前記保持座部３５ｃに替え、ばね座金とか板ばね、あるいはコイルばねとボールを利用して摩擦力を与えることによって指示棒部３３を格納姿勢や使用姿勢に保持する手段を採用して実施してもよいのであり、これらの各手段を総称して摩擦手段３５ｃと呼称する。
【図面の簡単な説明】
【図１】施肥装置付き乗用型田植機全体の側面図
【図２】廻り植えマーカの使用状態と格納状態とを示す説明図
【図３】廻り植えマーカ支持部の後面図
【図４】廻り植えマーカ支持部の平面図
【図５】指示棒部の格納姿勢と使用姿勢の説明図
【図６】指示棒部取り付け用のゴムホルダーの斜視図
【図７】ゴムホルダーの説明図
【図８】廻り植えマーカの使用要領を示す説明図
【符号の説明】
３１      廻り植えマーカ
３２      アーム部
３２ａ    基端側アーム部分
３２ｂ    先端側アーム部分
３３      指示棒部
３５ｃ    摩擦手段
３６      廻り植えマーカ支持部
３９ａ    軸芯
４１      マーカ取付け部
４５      マーカ保持部
【図１】
0003576028.tif 000002
【図２】
0003576028.tif 000003
【図３】
0003576028.tif 000004
【図４】
0003576028.tif 000005
【図５】
0003576028.tif 000006
【図６】
0003576028.tif 000007
【図７】
0003576028.tif 000008
【図８】
0003576028.tif 000009